(57)【要約】【課題】調製操作が簡便な、高級アルコールを含有するＯ／Ｗ型エマルション消泡剤であって、経時的な製品粘度の上昇を抑えて製品粘度を低く保ち、かつ、高い消泡効果を有するＯ／Ｗ型エマルション消泡剤及びその製造方法を提供する。【解決手段】消泡剤の有効成分である高級アルコールを含む油相成分を水相成分と混合して調製するＯ／Ｗ型エマルション消泡剤であって、水溶性無機塩、水溶性ノニオン界面活性剤及び水を含む水相成分を含むＯ／Ｗ型エマルション消泡剤及びその製造方法。【選択図】なし【特許請求の範囲】
【請求項１】
炭素数１２〜３０の高級アルコールを含む油相成分と、水溶性無機塩、水溶性ノニオン界面活性剤及び水を含む水相成分を含むＯ／Ｗ型エマルション消泡剤。
【請求項２】
前記水溶性無機塩が中性塩である請求項１に記載のＯ／Ｗ型エマルション消泡剤。
【請求項３】
前記水相成分の水１００重量部に対して前記中性塩を０．５〜５．０重量部含む、請求項１又は２に記載のＯ／Ｗ型エマルション消泡剤。
【請求項４】
前記中性塩が、塩化ナトリウム、塩化カリウム、塩化カルシウム、硫酸ナトリウム及び硫酸カリウムの群から選ばれる１種又は２種以上である請求項１乃至３のいずれか１項に記載のＯ／Ｗ型エマルション消泡剤。
【請求項５】
前記水溶性ノニオン界面活性剤が、下記一般式（１）で表される脂肪族アルコールのエチレンオキサイド付加物である請求項１乃至４のいずれか１項に記載のＯ／Ｗ型エマルション消泡剤。
【化１】
2014079699.tif 000006
上記一般式（１）において、Ｒ１は、炭素数１０〜２４の脂肪族炭化水素基を示し、ｎは１０〜１００の整数を示す。
【請求項６】
前記水相成分の水１００重量部に対して前記水溶性ノニオン界面活性剤を０．０１〜１．０重量部含む、請求項１乃至５のいずれか１項に記載のＯ／Ｗ型エマルション消泡剤。
【請求項７】
前記水溶性ノニオン界面活性剤が、ラウリルアルコール、セチルアルコール、ステアリルアルコール及びオレイルアルコールの群から選ばれる１種又は２種以上のアルコールのエチレンオキサイド付加物である、請求項１乃至６のいずれか１項に記載のＯ／Ｗ型エマルション消泡剤。
【請求項８】
炭素数１２〜３０の高級アルコールを含む油相成分と、水溶性無機塩、水溶性ノニオン界面活性剤及び水を含む水相成分を、油相成分が液化する温度以上で混合してＯ／Ｗ型エマルションを生成する、Ｏ／Ｗ型エマルション消泡剤の製造方法。
【請求項９】
前記水溶性無機塩が中性塩である請求項８に記載のＯ／Ｗ型エマルション消泡剤の製造方法。
【請求項１０】
前記水相成分の水１００重量部に対して前記中性塩を０．５〜５．０重量部含む、請求項８又は９に記載のＯ／Ｗ型エマルション消泡剤の製造方法。
【請求項１１】
前記中性塩が、塩化ナトリウム、塩化カリウム、塩化カルシウム、硫酸ナトリウム及び硫酸カリウムの群から選ばれる１種又は２種以上である請求項８乃至１０のいずれか１項に記載のＯ／Ｗ型エマルション消泡剤の製造方法。
【請求項１２】
前記水溶性ノニオン界面活性剤が、下記一般式（２）で表される脂肪族アルコールのエチレンオキサイド付加物である請求項８乃至１１のいずれか１項に記載のＯ／Ｗ型エマルション消泡剤の製造方法。
【化２】
2014079699.tif 000007
上記一般式（２）において、Ｒ１は、炭素数１０〜２４の脂肪族炭化水素基を示し、ｎは１０〜１００の整数を示す。
【請求項１３】
前記水相成分の水１００重量部に対して前記水溶性ノニオン界面活性剤を０．０１〜１．０重量部含む、請求項８乃至１２のいずれか１項に記載のＯ／Ｗ型エマルション消泡剤の製造方法。
【請求項１４】
前記水溶性ノニオン界面活性剤が、ラウリルアルコール、セチルアルコール、ステアリルアルコール及びオレイルアルコールの群から選ばれる１種又は２種以上のアルコールのエチレンオキサイド付加物である、請求項８乃至１３のいずれか１項に記載のＯ／Ｗ型エマルション消泡剤の製造方法。
【発明の詳細な説明】
【技術分野】
【０００１】
本発明は、高級アルコールを含む消泡剤及びその製造方法に関する。更に詳しくは、紙パルプ工業、食品工業、繊維工業、建材ボード製造、塗料工業、化学工業などの加工工程及び排水処理工程で有用な消泡剤に関する。
【背景技術】
【０００２】
各種工業の加工工程や排水処理工程では、高級アルコール、炭化水素、脂肪酸エステル等の常温で固体の有効成分を水相と混合してＯ／Ｗ型エマルションの形態に加工したワックス系消泡剤が多用されている。
【０００３】
なかでも、高級アルコールを含有する消泡剤は、紙パルプ工業、食品工業、繊維工業、建材ボード製造、塗料工業、化学工業などの加工工程及び排水処理工程における発泡抑制剤などとして広く用いられている。
【０００４】
しかしながら、この消泡剤は貯蔵期間中に製品粘度が上昇しクリーム状に固化、あるいは分離するため、取扱い性が悪くなるという問題を有している。この問題の解決策として、アクリル酸、メタクリル酸、アクリルアミド又はメタクリルアミドの水溶性高分子の単独重合物又は共重合物を安定剤として含有する消泡剤（特許文献１）、炭素数１０〜１６の第二級アルコールにエチレンオキサイドを付加して得られるノニオン性界面活性剤を用いる消泡剤組成物（特許文献２）、ポリオキシエチレンオクチルフェニルエーテル・コハク酸半エステルナトリウム塩を用いる消泡剤組成物（特許文献３）、及び分岐アルキル基を有する第一級アルコールのアルキレンオキサイド付加物を用いる消泡剤組成物（特許文献４）が提案されている。
【０００５】
しかし、これらの方法で得られた消泡剤では、製品粘度安定性は改善されるが単位容量あたりの消泡効果が低くなるといった欠点があり、その対策として、高級アルコールにマイクロクリスタリンワックスと多価アルコールを配合して、分散した油相の粒子径を最適化する、消泡剤の製造方法（特許文献５）が提案されているが、粒子径を最適化すると、十分な製品の分離安定性が得られないという欠点を有していた。
【０００６】
また、従来のＯ／Ｗ型エマルションからＷ／Ｏ／Ｗ型エマルションに変換することにより、十分な消泡効果が得られ、かつ、種々の生産プロセス及び最終製品の品質に対しても悪影響を生じない、もしくは軽減する消泡剤（特許文献６)が提案されているが、Ｗ／Ｏ／Ｗ型エマルションの調製操作が煩雑である。
【先行技術文献】
【特許文献】
【０００７】
【特許文献１】特開昭６０−１５６５１６号公報
【特許文献２】特開２００１−６２２０４号公報
【特許文献３】特許３６９０７７３号公報
【特許文献４】特許４５９５４９２号公報
【特許文献５】特開２０１２−１４３７００号公報
【特許文献６】特開２０００−２８８３０８号公報
【発明の概要】
【発明が解決しようとする課題】
【０００８】
本発明は、上記従来の実情を鑑みてなされたものであり、調製操作が簡便な、高級アルコールを含有するＯ／Ｗ型エマルション消泡剤において、経時的な製品粘度の上昇を抑えて製品粘度を低く保ち、かつ、高い消泡効果を有するＯ／Ｗ型エマルション消泡剤及びその製造方法を提供することを目的とする。
【課題を解決するための手段】
【０００９】
本発明者らは、上記課題を解決すべく鋭意研究を重ねた結果、消泡剤の有効成分である高級アルコールを含む油相成分を水相成分と混合してＯ／Ｗ型エマルション消泡剤を調製する工程において、水溶性無機塩、水溶性ノニオン界面活性剤及び水を含む水相成分を用いることによって上記課題を解決できることを見出し、本発明を完成するに至った。
【００１０】
すなわち、請求項１に係る発明は、炭素数１２〜３０の高級アルコールを含む油相成分と、水溶性無機塩、水溶性ノニオン界面活性剤及び水を含む水相成分を含むＯ／Ｗ型エマルション消泡剤である。
【００１１】
請求項２に係る発明は、前記水溶性無機塩が中性塩である請求項１に記載のＯ／Ｗ型エマルション消泡剤である。
【００１２】
請求項３に係る発明は、前記水相成分の水１００重量部に対して前記中性塩を０．５〜５．０重量部含む、請求項１又は２に記載のＯ／Ｗ型エマルション消泡剤である。
【００１３】
請求項４に係る発明は、前記中性塩が、塩化ナトリウム、塩化カリウム、塩化カルシウム、硫酸ナトリウム及び硫酸カリウムの群から選ばれる１種又は２種以上である請求項１乃至３のいずれか１項に記載のＯ／Ｗ型エマルション消泡剤である。
【００１４】
請求項５に係る発明は、前記水溶性ノニオン界面活性剤が、下記一般式（１）で表される脂肪族アルコールのエチレンオキサイド付加物である請求項１乃至４のいずれか１項に記載のＯ／Ｗ型エマルション消泡剤である。
【化１】
2014079699.tif 000002
上記一般式（１）において、Ｒ１は、炭素数１０〜２４の脂肪族炭化水素基を示し、ｎは１０〜１００の整数を示す。
【００１５】
請求項６に係る発明は、前記水相成分の水１００重量部に対して前記水溶性ノニオン界面活性剤を０．０１〜１．０重量部含む、請求項１乃至５のいずれか１項に記載のＯ／Ｗ型エマルション消泡剤である。
【００１６】
請求項７に係る発明は、前記水溶性ノニオン界面活性剤が、ラウリルアルコール、セチルアルコール、ステアリルアルコール及びオレイルアルコールの群から選ばれる１種又は２種以上のアルコールのエチレンオキサイド付加物である、請求項１乃至６のいずれか１項に記載のＯ／Ｗ型エマルション消泡剤である。
【００１７】
請求項８に係る発明は、炭素数１２〜３０の高級アルコールを含む油相成分と、水溶性無機塩、水溶性ノニオン界面活性剤及び水を含む水相成分を、油相成分が液化する温度以上で混合してＯ／Ｗ型エマルションを生成する、Ｏ／Ｗ型エマルション消泡剤の製造方法である。
【００１８】
請求項９に係る発明は、前記水溶性無機塩が中性塩である請求項８に記載のＯ／Ｗ型エマルション消泡剤の製造方法である。
【００１９】
請求項１０に係る発明は、前記水相成分の水１００重量部に対して前記中性塩を０．５〜５．０重量部含む、請求項８又は９に記載のＯ／Ｗ型エマルション消泡剤の製造方法である。
【００２０】
請求項１１に係る発明は、前記中性塩が、塩化ナトリウム、塩化カリウム、塩化カルシウム、硫酸ナトリウム及び硫酸カリウムの群から選ばれる１種又は２種以上である請求項８乃至１０のいずれか１項に記載のＯ／Ｗ型エマルション消泡剤の製造方法である。
【００２１】
請求項１２に係る発明は、前記水溶性ノニオン界面活性剤が、下記一般式（２）で表される脂肪族アルコールのエチレンオキサイド付加物である請求項８乃至１１のいずれか１項に記載のＯ／Ｗ型エマルション消泡剤の製造方法である。
【化２】
2014079699.tif 000003
上記一般式（２）において、Ｒ１は、炭素数１０〜２４の脂肪族炭化水素基を示し、ｎは１０〜１００の整数を示す。
【００２２】
請求項１３に係る発明は、前記水相成分の水１００重量部に対して前記水溶性ノニオン界面活性剤を０．０１〜１．０重量部含む、請求項８乃至１２のいずれか１項に記載のＯ／Ｗ型エマルション消泡剤の製造方法である。
【００２３】
請求項１４に係る発明は、前記水溶性ノニオン界面活性剤が、ラウリルアルコール、セチルアルコール、ステアリルアルコール及びオレイルアルコールの群から選ばれる１種又は２種以上のアルコールのエチレンオキサイド付加物である、請求項８乃至１３のいずれか１項に記載のＯ／Ｗ型エマルション消泡剤の製造方法である。
【００２４】
本発明によれば、Ｏ／Ｗ型エマルション消泡剤を構成する水相成分中に、水溶性無機塩と水溶性ノニオン界面活性剤を含むことによって、該消泡剤製造後の水相中に分散した油相成分の凝集が抑制され、微細粒子として長期に安定的に存在できるという効果が得られる。この効果により、本発明のＯ／Ｗ型エマルション消泡剤は、経時的な製品粘度の上昇を抑えて製品粘度を低く保ち、かつ、高い消泡効果を有する。この効果の原理は明確ではないが、水に溶解した水溶性無機塩から生成する無機イオンが水相中に多く存在することで、水相中に分散した油相成分の微細粒子同士が電気的に互いに反発し、その結果、低粘度かつ経時的な粘度上昇が起こらない安定したエマルションが形成、維持されると推測される。
【発明の効果】
【００２５】
本発明によれば、簡便な調製操作によって、経時的な製品粘度の上昇を抑えて製品粘度を低く保ち、かつ、高い消泡効果を有するＯ／Ｗ型エマルション消泡剤を得ることができる。
【発明を実施するための形態】
【００２６】
本発明の消泡剤は、炭素数１２〜３０の高級アルコールを含む油相成分と、水溶性無機塩、水溶性ノニオン界面活性剤及び水を含む水相成分を含むＯ／Ｗ型エマルション消泡剤である。
【００２７】
本発明のＯ／Ｗ型エマルション消泡剤に用いられる高級アルコールは、従来の高級アルコールを含有する消泡剤に使用されている高級アルコールであって、炭素数１２〜３０の天然アルコール及び炭素数１２〜３０の合成アルコールの群から選ばれる１種又は２種以上を用いることができる。炭素数１２〜３０の天然アルコールとしては、例えば、ラウリルアルコール、ミリスチルアルコール、セチルアルコール、ステアリルアルコール、エイコサノール、ドコサノール、テトラコサノール、ヘキサコノール、オクタコサノール及びミリシルアルコールなどの飽和アルコールや、例えば、オレイルアルコールなどの不飽和アルコールが挙げられる。また、炭素数１２〜３０の合成アルコールとしては、チーグラー法で合成された直鎖第一級アルコールあるいは分岐第一級アルコール、又はこれらの炭素数の異なるアルコール混合物や、パラフィンを空気酸化して作られる直鎖第二級アルコールなどが挙げられる。
【００２８】
本発明のＯ／Ｗ型エマルション消泡剤における高級アルコールの配合量は、特に限定されないが、製造する消泡剤全量に対して、５〜５０重量％であることが好ましく、１０〜４０％であることがより好ましい。高級アルコールの配合量が５％未満であると、消泡効果が十分に発現しないおそれがあり、５０重量％を超えると得られる消泡剤の製品粘度が高くなり取り扱い性が低下するおそれがある。
【００２９】
本発明のＯ／Ｗ型エマルション消泡剤に用いられる水溶性無機塩は、水に対し０．５重量％以上溶解する無機塩であって、２種以上の水溶性無機塩を任意に組み合わせて使用してもよい。中でも、水溶液のｐＨが中性を示す、中性塩であることが好ましい。中性塩以外の水溶性無機塩では製造後の消泡剤の製品ｐＨが安定しない場合があり、また、製品消泡剤のｐＨが酸性やアルカリ性となるため、取り扱い上の安全面からも好まれない。
【００３０】
前記中性塩としては、例えば、塩化ナトリウム、塩化カリウム、塩化カルシウム、硫酸ナトリウム、硫酸カリウム、硝酸ナトリウム、硝酸カリウム、臭化ナトリウム及び臭化カリウムなどがあげられる。中でも、塩化ナトリウム、塩化カリウム、塩化カルシウム、硫酸ナトリウム及び硫酸カリウムが、安価で環境に対する負荷も少ないためより好ましい。
【００３１】
本発明のＯ／Ｗ型エマルション消泡剤における水溶性無機塩の配合量は、該消泡剤を構成する水相成分中の水１００重量部に対して０．５〜５．０重量部配合することが好ましい。その配合量が、０．５重量部未満では油相成分の微粒子化が不十分になるおそれがあり、５．０重量部を超えると油相と水相の比重差が大きくなるため、製品の貯蔵期間が長期に及ぶ場合には分離を生じるおそれがある。
【００３２】
本発明のＯ／Ｗ型エマルション消泡剤に用いられる水溶性ノニオン界面活性剤は、水に対し０．５％以上溶解するノニオン界面活性剤であり、例えば、脂肪族アルコールのアルキレンオキサイド付加物、脂肪酸のアルキレンオキサイド付加物、アルキルフェノールのアルキレンオキサイド付加物、脂肪族アミンのアルキレンオキサイド付加物及びソルビタンのアルキレンオキサイド付加物などがあげられる。中でも、炭素数１０〜２４の脂肪族アルコールのエチレンオキサイド付加物であることが好ましい。炭素数１０〜２４の脂肪族アルコールとしては、例えば、デシルアルコール、ラウリルアルコール、セチルアルコール、ステアリルアルコール、オレイルアルコール、ベヘニルアルコール、テトラコサノール等が挙げられる。
【００３３】
本発明のＯ／Ｗ型エマルション消泡剤における水溶性ノニオン界面活性剤の配合量は、油相成分の種類や配合量に応じて適宜その量を変更するが、通常は、該消泡剤を構成する水相成分中の水１００重量部に対して０．０１〜１．０重量部配合することが好ましく、また、２種以上の水溶性ノニオン界面活性剤を任意に組み合わせて使用してもよい。水溶性ノニオン界面活性剤の配合量が、水に対して０．０１重量部未満であると高級アルコールの微粒子化が不十分になるおそれがあり、１．０重量部を超えると得られる消泡剤製品自体の発泡が多くなると共に、製品の貯蔵期間が長期に及ぶ場合には製品粘度の上昇が大きくなるおそれがある。
【００３４】
本発明のＯ／Ｗ型エマルション消泡剤に用いられる水は、縣濁物質が含まれない清浄な水であれば良く、通常の工水の他に軟化水や純水を用いることもできる。
【００３５】
本発明の消泡剤の製造方法には特に制限はなく、Ｏ／Ｗ型エマルションを得る公知の方法を用いることができる。例えば、分散法や凝縮法であり、更に詳しくは、前者は撹拌機、分散機などを用いる機械的乳化法、後者は転相法、Ｄ相乳化法、液晶乳化法、可溶化転換法などの物理的乳化法である。なかでも、撹拌混合条件下、水溶性無機塩と水溶性ノニオン界面活性剤を予め水に溶解して調製した水相成分に、高級アルコールを含む油相成分を加え、油相成分の融点以上に加温して乳化させる機械的乳化法と温度転相法を組み合わせることが操作性から好ましい。
【００３６】
撹拌混合設備としては、通常、撹拌混合、乳化分散に用いられる公知の設備、例えばパドル翼、プロペラ翼、タービン翼などの撹拌翼を備えた撹拌機、ディゾルバー、ホモミキサー、ボールミル、サンドミル、超音波分散機、ニーダー、ラインミキサー、高速せん断型撹拌分散機、加圧ノズル式乳化機、ピストン型高圧乳化機などを用いることができ、これらの２種以上の設備を組み合わせて使用することもできる。
【００３７】
本発明の消泡剤において、高級アルコールを含む油相成分の微粒子の平均粒径は１〜１５μｍであることが好ましく、２〜１０μｍであることがより好ましい。１μｍ未満であると機械的分散に掛かる負荷が強くなり設備費用が増大する。また、１５μｍを超えると、製品の貯蔵期間が長期に及ぶ場合には分離を生じるおそれがある。
【００３８】
本発明の消泡剤には、経時安定性の改善、分散性の向上など、必要に応じて水溶性高分子を用いてもよい。水溶性高分子としては、セルロース、プルラン、アラビアガム、グアーガム、グルコマンナン、キサンタンガム、ウェランガム、ランザンガム、トラガントガム、ローカストビーンガム、アガロース、グリコーゲン、メチルセルロース、エチルセルロース、カルボキシメチルセルロース、ヒドロキシエチルセルロース、ヒドロキシプロピルセルロース、ヒドロキシエチルメチルセルロース、ポリビニルアルコール、ポリアクリルアミド、ポリアクリル酸、ポリメタクリル酸、アクリル酸とアクリルアミドの共重合物、メタクリルアミドとアクリルアミドの共重合物、メタクリルアミドとメタクリル酸の共重合物などが使用でき、これらの水溶性高分子は単独使用あるいは２種以上を併用して使用することができる。
【００３９】
その他、本発明に係る消泡剤には、必要に応じて、炭化水素、防腐剤、防カビ剤、殺菌剤、防錆剤、皮張り防止剤等を含むことができる。これらは、いずれも公知であり、例えば、特開２０００−３００９０９公報などにも記載されているため、その詳細は省略する。
【００４０】
本発明の消泡剤は、紙パルプ工業、食品工業、繊維工業、建材ボード製造、塗料工業、化学工業などの加工工程及び排水処理工程における発泡抑制剤などとして広く用いることができる。本発明の消泡剤の添加量に特に制限はないが、通常は処理液に対し０．１〜１，０００ｍｇ／Ｌ添加される。
【００４１】
本発明の消泡剤は、通常、処理液の発泡箇所の上流側に添加され、その添加方法に特に制限はなく、処理液の発泡状況に合わせて間欠添加もしくは連続添加を選択できる。また、薬注ポンプを用いて本発明の消泡剤を処理液に添加する方法が一般的である。
【実施例】
【００４２】
以下、実施例を挙げて本発明を詳細に説明するが、本発明は以下の実施例のみに限定されるものではない。また、特許請求の範囲の記載を逸脱せず、当業者が容易に想到できる範囲で種々の変形態様もこの発明に含まれる。
【００４３】
（実施例１）
水７０重量部に塩化カルシウム２．１重量部、ポリオキシエチレンセチルエーテル（ポリオキシエチレン平均付加モル数＝４０モル）０．１４重量部を溶解し、４５°傾斜パドル翼を用い、翼の先端速度５ｍ／Ｓで撹拌しながら、加温溶解し液化した高級アルコール（サソールジャパン（株）製のＮａｆｏｌ２０＋Ａ（商品名）［組成：炭素数１６〜２６の高級アルコール７０％、モノカルボン酸エステル、アルキルエーテルほか副生物３０％］）を３０重量部加え、７５℃まで昇温して１時間撹拌し均一化した。ついで、キサンタンガム０．１重量部を加えた後、３０℃まで冷却し、実施例１の消泡剤を得た。該消泡剤は、水相成分の水１００重量部に対して、水溶性無機塩を３．０重量部及び水溶性ノニオン界面活性剤を０．２重量部含む。
【００４４】
（実施例２）
実施例１において、塩化カルシウムに代えて塩化ナトリウムを用いた以外は、実施例１と同様にして、実施例２の消泡剤を得た。
【００４５】
（実施例３）
実施例１において、塩化カルシウムに代えて塩化カリウムを用いた以外は、実施例１と同様にして、実施例３の消泡剤を得た。
【００４６】
（実施例４）
実施例１において、塩化カルシウムに代えて硫酸ナトリウムを用いた以外は、実施例１と同様にして、実施例４の消泡剤を得た。
【００４７】
（実施例５）
実施例１において、塩化カルシウムに代えて硫酸カリウムを用いた以外は、実施例１と同様にして、実施例５の消泡剤を得た。
【００４８】
（実施例６）
実施例１において、塩化カルシウム２．１重量部に代えて、塩化カリウム１．０５重量部と硫酸ナトリウム１．０５重量部を用いた以外は、実施例１と同様にして、実施例６の消泡剤を得た。
【００４９】
（実施例７）
実施例２において、塩化ナトリウム２．１重量部に代えて、塩化ナトリウム０．３５重量部を用いた以外は、実施例２と同様にして、実施例７の消泡剤を得た。該消泡剤は、水相成分の水１００重量部に対して、水溶性無機塩を０．５重量部及び水溶性ノニオン界面活性剤を０．２重量部含む。
【００５０】
（実施例８）
実施例２において、塩化ナトリウム２．１重量部に代えて、塩化ナトリウム１．４重量部を用いた以外は、実施例２と同様にして、実施例８の消泡剤を得た。該消泡剤は、水相成分の水１００重量部に対して、水溶性無機塩を２．０重量部及び水溶性ノニオン界面活性剤を０．２重量部含む。
【００５１】
（実施例９）
実施例２において、塩化ナトリウム２．１重量部に代えて、塩化ナトリウム２．８重量部を用いた以外は、実施例２と同様にして、実施例９の消泡剤を得た。該消泡剤は、水相成分の水１００重量部に対して、水溶性無機塩を４．０重量部及び水溶性ノニオン界面活性剤を０．２重量部含む。
【００５２】
（実施例１０）
実施例２において、塩化ナトリウム２．１重量部に代えて、塩化ナトリウム３．５重量部を用いた以外は、実施例２と同様にして、実施例１０の消泡剤を得た。該消泡剤は、水相成分の水１００重量部に対して、水溶性無機塩を５．０重量部及び水溶性ノニオン界面活性剤を０．２重量部含む。
【００５３】
（実施例１１）
実施例８において、ポリオキシエチレンセチルエーテル（ポリオキシエチレン平均付加モル数＝４０モル）０．１４重量部に代えて、ポリオキシエチレンセチルエーテル（ポリオキシエチレン平均付加モル数＝４０モル）０．００７重量部を用いた以外は、実施例８と同様にして、実施例１１の消泡剤を得た。該消泡剤は、水相成分の水１００重量部に対して、水溶性無機塩を２．０重量部及び水溶性ノニオン界面活性剤を０．０１重量部含む。
【００５４】
（実施例１２）
実施例８において、ポリオキシエチレンセチルエーテル（ポリオキシエチレン平均付加モル数＝４０モル）０．１４重量部に代えて、ポリオキシエチレンセチルエーテル（ポリオキシエチレン平均付加モル数＝４０モル）０．１０５重量部を用いた以外は、実施例８と同様にして、実施例１２の消泡剤を得た。該消泡剤は、水相成分の水１００重量部に対して、水溶性無機塩を２．０重量部及び水溶性ノニオン界面活性剤を０．１５重量部含む。
【００５５】
（実施例１３）
実施例８において、ポリオキシエチレンセチルエーテル（ポリオキシエチレン平均付加モル数＝４０モル）０．１４重量部に代えて、ポリオキシエチレンセチルエーテル（ポリオキシエチレン平均付加モル数＝４０モル）０．２１重量部を用いた以外は、実施例８と同様にして、実施例１３の消泡剤を得た。該消泡剤は、水相成分の水１００重量部に対して、水溶性無機塩を２．０重量部及び水溶性ノニオン界面活性剤を０．３０重量部含む。
【００５６】
（実施例１４）
実施例８において、ポリオキシエチレンセチルエーテル（ポリオキシエチレン平均付加モル数＝４０モル）０．１４重量部に代えて、ポリオキシエチレンセチルエーテル（ポリオキシエチレン平均付加モル数＝４０モル）０．４９重量部を用いた以外は、実施例８と同様にして、実施例１４の消泡剤を得た。該消泡剤は、水相成分の水１００重量部に対して、水溶性無機塩を２．０重量部及び水溶性ノニオン界面活性剤を０．７０重量部含む。
【００５７】
（実施例１５）
実施例８において、ポリオキシエチレンセチルエーテル（ポリオキシエチレン平均付加モル数＝４０モル）０．１４重量部に代えて、ポリオキシエチレンセチルエーテル（ポリオキシエチレン平均付加モル数＝４０モル）０．７０重量部を用いた以外は、実施例８と同様にして、実施例１５の消泡剤を得た。該消泡剤は、水相成分の水１００重量部に対して、水溶性無機塩を２．０重量部及び水溶性ノニオン界面活性剤を１．０重量部含む。
【００５８】
（実施例１６）
実施例１２において、塩化ナトリウムに代えて硫酸ナトリウムを用い、かつ、ポリオキシエチレンセチルエーテル（ポリオキシエチレン平均付加モル数＝４０モル）に代えてポリオキシエチレンラウリルエーテル（ポリオキシエチレン平均付加モル数＝２０モル）を用いた以外は、実施例１２と同様にして、実施例１６の消泡剤を得た。該消泡剤は、水相成分の水１００重量部に対して、水溶性無機塩を２．０重量部及び水溶性ノニオン界面活性剤を０．１５重量部含む。
【００５９】
（実施例１７）
実施例１２において、塩化ナトリウムに代えて硫酸ナトリウムを用いた以外は、実施例１２と同様にして、実施例１７の消泡剤を得た。
【００６０】
（実施例１８）
実施例１７において、ポリオキシエチレンセチルエーテル（ポリオキシエチレン平均付加モル数＝４０モル）に代えてポリオキシエチレンステアリルエーテル（ポリオキシエチレン平均付加モル数＝５０モル）を用いた以外は、実施例１７と同様にして、実施例１８の消泡剤を得た。
【００６１】
（実施例１９）
実施例１７において、ポリオキシエチレンセチルエーテル（ポリオキシエチレン平均付加モル数＝４０モル）に代えてポリオキシエチレンステアリルエーテル（ポリオキシエチレン平均付加モル数＝８０モル）を用いた以外は、実施例１７と同様にして、実施例１９の消泡剤を得た。
【００６２】
（実施例２０）
実施例１７において、ポリオキシエチレンセチルエーテル（ポリオキシエチレン平均付加モル数＝４０モル）に代えてポリオキシエチレンオレイルエーテル（ポリオキシエチレン平均付加モル数＝６０モル）を用いた以外は、実施例１７と同様にして、実施例２０の消泡剤を得た。
【００６３】
（実施例２１）
実施例１７において、ポリオキシエチレンセチルエーテル（ポリオキシエチレン平均付加モル数＝４０モル）に代えてポリオキシエチレンオレイルエーテル（ポリオキシエチレン平均付加モル数＝８０モル）を用いた以外は、実施例１７と同様にして、実施例２１の消泡剤を得た。
【００６４】
（実施例２２）
実施例１７において、ポリオキシエチレンセチルエーテル（ポリオキシエチレン平均付加モル数＝４０モル）に代えてポリオキシエチレンベヘニルエーテル（ポリオキシエチレン平均付加モル数＝３０モル）を用いた以外は、実施例１７と同様にして、実施例２２の消泡剤を得た。
【００６５】
（比較例１）
水７０重量部にポリオキシエチレンセチルエーテル（ポリオキシエチレン平均付加モル数＝４０モル）０．１４重量部を溶解し、４５°傾斜パドル翼を用い、翼の先端速度５ｍ／Ｓで撹拌しながら、加温溶解し液化した高級アルコール（サソールジャパン（株）製のＮａｆｏｌ２０＋Ａ（商品名）［組成：炭素数１６〜２６の高級アルコール７０％、モノカルボン酸エステル、アルキルエーテルほか副生物３０％］）を３０重量部加え、７５℃まで昇温して１時間撹拌し均一化した。ついで、キサンタンガム０．１重量部を加えた後、３０℃まで冷却し、比較例１の消泡剤を得た。該消泡剤は、水溶性無機塩を含まず、水相成分の水１００重量部に対して、水溶性ノニオン界面活性剤を０．２重量部含む。
【００６６】
（比較例２）
比較例１において、ポリオキシエチレンセチルエーテル（ポリオキシエチレン平均付加モル数＝４０モル）０．１４重量部に代えてポリオキシエチレンノニルフェニルエーテル（ポリオキシエチレン平均付加モル数＝２０モル）０．５重量部を用いた以外は、比較例１と同様にして、比較例２の消泡剤を得た。該消泡剤は、水溶性無機塩を含まず、水相成分の水１００重量部に対して、水溶性ノニオン界面活性剤を０．７重量部含む。
【００６７】
（比較例３）
比較例１において、ポリオキシエチレンセチルエーテル（ポリオキシエチレン平均付加モル数＝４０モル）０．１４重量部に代えてポリオキシエチレン第二級アルコール（炭素数＝１２）エーテル（ポリオキシエチレン平均付加モル数＝３０モル）０．７重量部を用いた以外は、比較例１と同様にして、比較例３の消泡剤を得た。該消泡剤は、水溶性無機塩を含まず、水相成分の水１００重量部に対して、水溶性ノニオン界面活性剤を１．０重量部含む。
【００６８】
（比較例４）
実施例２１において、ポリオキシエチレンオレイルエーテル（ポリオキシエチレン平均付加モル数＝８０モル）に代えてポリオキシエチレンオレイルエーテル（ポリオキシエチレン平均付加モル数＝２モル）を用いた以外は、実施例２１と同様にして、比較例４の消泡剤を得た。該消泡剤は、水相成分の水１００重量部に対して、水溶性無機塩を２．０重量部及び油溶性ノニオン界面活性剤を０．１５重量部含み、水溶性ノニオン界面活性剤を含まない。
【００６９】
（比較例５）
水７０重量部に、４５°傾斜パドル翼を用い、翼の先端速度５ｍ／Ｓで撹拌しながら、加熱溶解し液化した高級アルコール（サソールジャパン（株）製のＮａｆｏｌ２０＋Ａ（商品名）［組成：炭素数１６〜２６の高級アルコール７０％、モノカルボン酸エステル、アルキルエーテルほか副生物３０％］）とマイクロクリスタリンワックス（日本精鑞（株）製のＨｉ−ｍｉｃ−１０９０（商品名））とプロピレングリコール（関東化学（株）製、試薬特級）を重量比で６：１：１の割合で混合した組成物を３０重量部加え、７５℃まで昇温して１時間撹拌し均一化した。ついで、キサンタンガム０．１重量部を加えた後、３０℃まで冷却し、比較例５の消泡剤を得た。
【００７０】
消泡剤は、以下の方法で評価を行った。
（１）経時変化評価
（１−１）製造直後のエマルション粒子径と製品粘度測定
作成した消泡剤のエマルション粒子径は（株）堀場製作所製のレーザー回折／散乱式粒度分布計ＬＡ−３００で測定し、また、製品粘度は（株）東京計器製のＢＨ形の分離Ｂ型粘度計を用い、２５℃、回転数２０ｒｐｍで測定を行った。
（１−２）３０日間経過後の分離確認と製品粘度測定
作成した消泡剤をφ１０１ｍｍ×２０２ｍｍのガラス広口瓶に１Ｌ入れ、５℃、３０℃、４０℃の各恒温器、及び１２時間毎に２５℃と５℃の温度サイクルを繰り返す恒温器内に３０日間静置し、３０日間経過後の分離の有無を確認した。分離が認められたものについては測定不可とし、分離が認められなかったものについて、３０日間経過後の製品粘度を、（株）東京計器製のＢＨ形の分離Ｂ型粘度計を用いて、２５℃、回転数２０ｒｐｍで測定を行った。
（２）消泡効果評価
φ８０ｍｍの２，０００ｍｌアクリル製シリンダーに、作成した消泡剤４ｍｇ／Ｌを添加した発泡性試験水（新聞用紙の抄紙白水）１，０００ｍｌを入れ、３５℃に保持し、循環ポンプを用いてシリンダーの底部から試験水を２，０００ｍｌ／分で抜きながら、シリンダー上部より試験水面へ落下させることにより試験水を発泡させる。循環開始後、１分、２分、３分、５分後のシリンダー内の泡高さ（発泡量）を読み取り、消泡効果（発泡抑制効果）を評価した。
【００７１】
実施例１〜２２および比較例１〜５の経時変化評価の結果を表１に、実施例１〜２２および比較例１〜５の消泡効果評価の結果を表２に示す。
【００７２】
【表１】
2014079699.tif 000004
【００７３】
【表２】
2014079699.tif 000005
【００７４】
表１に示すように、水溶性無機塩と水溶性ノニオン界面活性剤を用いた実施例１〜２２の消泡剤は、各温度において製品粘度の上昇及び分離が抑制され、３０日経過後でも取り扱いに問題のない粘度を維持すると共に、分離も認められなかった。
【００７５】
表２に示すように、水溶性無機塩と水溶性ノニオン界面活性剤を用いた実施例１〜２２の消泡剤は、高い消泡効果（発泡抑制効果）を示した。
【００７６】
一方、比較例１〜３は水溶性無機塩を含まない例であるが、比較例１、３の消泡剤は製品粘度の上昇が小さいものの消泡効果が劣っており、比較例２の消泡剤は製品粘度の上昇が大きく消泡効果も劣っている。比較例４は水溶性界面活性剤を含まず油溶性界面活性剤を含む例であり、また、比較例５は従来技術に準じた処方の消泡剤であるが、いずれも著しい製品粘度の上昇や分離が認められた。
【００７７】
以上の結果から、本発明のＯ／Ｗ型エマルション消泡剤は、経時的な製品粘度の上昇を抑えて製品粘度を低く保ち、かつ、高い消泡効果を有することが明確に示された。
【産業上の利用可能性】
【００７８】
本発明のＯ／Ｗ型エマルション消泡剤は、経時的な製品粘度の上昇を抑えて製品粘度を低く保ち、かつ、高い消泡効果を有するため、紙パルプ工業、食品工業、繊維工業、建材ボード製造、塗料工業、化学工業などの加工工程及び排水処理工程での消泡に極めて有用である。
【手続補正書】
【提出日】平成25年12月19日(2013.12.19)
【手続補正１】
【補正対象書類名】特許請求の範囲
【補正対象項目名】全文
【補正方法】変更
【補正の内容】
【特許請求の範囲】
【請求項１】
炭素数１２〜３０の高級アルコールを含む油相成分と、水溶性無機塩、水溶性ノニオン界面活性剤及び水を含む水相成分を含むＯ／Ｗ型エマルション消泡剤。
【請求項２】
前記水溶性無機塩が中性塩である請求項１に記載のＯ／Ｗ型エマルション消泡剤。
【請求項３】
前記水相成分の水１００重量部に対して前記中性塩を０．５〜５．０重量部含む、請求項２に記載のＯ／Ｗ型エマルション消泡剤。
【請求項４】
前記中性塩が、塩化ナトリウム、塩化カリウム、塩化カルシウム、硫酸ナトリウム及び硫酸カリウムの群から選ばれる１種又は２種以上である請求項２又は３に記載のＯ／Ｗ型エマルション消泡剤。
【請求項５】
前記水溶性ノニオン界面活性剤が、下記一般式（１）で表される脂肪族アルコールのエチレンオキサイド付加物である請求項１乃至４のいずれか１項に記載のＯ／Ｗ型エマルション消泡剤。
【化１】
2014079699.tif 000008
上記一般式（１）において、Ｒ１は、炭素数１０〜２４の脂肪族炭化水素基を示し、ｎは１０〜１００の整数を示す。
【請求項６】
前記水相成分の水１００重量部に対して前記水溶性ノニオン界面活性剤を０．０１〜１．０重量部含む、請求項１乃至５のいずれか１項に記載のＯ／Ｗ型エマルション消泡剤。
【請求項７】
前記一般式（１）で表される脂肪族アルコールのエチレンオキサイド付加物が、ラウリルアルコール、セチルアルコール、ステアリルアルコール及びオレイルアルコールの群から選ばれる１種又は２種以上のアルコールのエチレンオキサイド付加物である、請求項５に記載のＯ／Ｗ型エマルション消泡剤。
【請求項８】
炭素数１２〜３０の高級アルコールを含む油相成分と、水溶性無機塩、水溶性ノニオン界面活性剤及び水を含む水相成分を、油相成分が液化する温度以上で混合してＯ／Ｗ型エマルションを生成する、Ｏ／Ｗ型エマルション消泡剤の製造方法。
【請求項９】
前記水溶性無機塩が中性塩である請求項８に記載のＯ／Ｗ型エマルション消泡剤の製造方法。
【請求項１０】
前記水相成分の水１００重量部に対して前記中性塩を０．５〜５．０重量部含む、請求項９に記載のＯ／Ｗ型エマルション消泡剤の製造方法。
【請求項１１】
前記中性塩が、塩化ナトリウム、塩化カリウム、塩化カルシウム、硫酸ナトリウム及び硫酸カリウムの群から選ばれる１種又は２種以上である請求項９又は１０に記載のＯ／Ｗ型エマルション消泡剤の製造方法。
【請求項１２】
前記水溶性ノニオン界面活性剤が、下記一般式（２）で表される脂肪族アルコールのエチレンオキサイド付加物である請求項８乃至１１のいずれか１項に記載のＯ／Ｗ型エマルション消泡剤の製造方法。
【化２】
2014079699.tif 000009
上記一般式（２）において、Ｒ１は、炭素数１０〜２４の脂肪族炭化水素基を示し、ｎは１０〜１００の整数を示す。
【請求項１３】
前記水相成分の水１００重量部に対して前記水溶性ノニオン界面活性剤を０．０１〜１．０重量部含む、請求項８乃至１２のいずれか１項に記載のＯ／Ｗ型エマルション消泡剤の製造方法。
【請求項１４】
前記一般式（２）で表される脂肪族アルコールのエチレンオキサイド付加物が、ラウリルアルコール、セチルアルコール、ステアリルアルコール及びオレイルアルコールの群から選ばれる１種又は２種以上のアルコールのエチレンオキサイド付加物である、請求項１２に記載のＯ／Ｗ型エマルション消泡剤の製造方法。
【手続補正２】
【補正対象書類名】明細書
【補正対象項目名】００１２
【補正方法】変更
【補正の内容】
【００１２】
請求項３に係る発明は、前記水相成分の水１００重量部に対して前記中性塩を０．５〜５．０重量部含む、請求項２に記載のＯ／Ｗ型エマルション消泡剤である。
【手続補正３】
【補正対象書類名】明細書
【補正対象項目名】００１３
【補正方法】変更
【補正の内容】
【００１３】
請求項４に係る発明は、前記中性塩が、塩化ナトリウム、塩化カリウム、塩化カルシウム、硫酸ナトリウム及び硫酸カリウムの群から選ばれる１種又は２種以上である請求項２又は３に記載のＯ／Ｗ型エマルション消泡剤である。
【手続補正４】
【補正対象書類名】明細書
【補正対象項目名】００１６
【補正方法】変更
【補正の内容】
【００１６】
請求項７に係る発明は、前記一般式（１）で表される脂肪族アルコールのエチレンオキサイド付加物が、ラウリルアルコール、セチルアルコール、ステアリルアルコール及びオレイルアルコールの群から選ばれる１種又は２種以上のアルコールのエチレンオキサイド付加物である、請求項５に記載のＯ／Ｗ型エマルション消泡剤である。
【手続補正５】
【補正対象書類名】明細書
【補正対象項目名】００１９
【補正方法】変更
【補正の内容】
【００１９】
請求項１０に係る発明は、前記水相成分の水１００重量部に対して前記中性塩を０．５〜５．０重量部含む、請求項９に記載のＯ／Ｗ型エマルション消泡剤の製造方法である。
【手続補正６】
【補正対象書類名】明細書
【補正対象項目名】００２０
【補正方法】変更
【補正の内容】
【００２０】
請求項１１に係る発明は、前記中性塩が、塩化ナトリウム、塩化カリウム、塩化カルシウム、硫酸ナトリウム及び硫酸カリウムの群から選ばれる１種又は２種以上である請求項９又は１０に記載のＯ／Ｗ型エマルション消泡剤の製造方法である。
【手続補正７】
【補正対象書類名】明細書
【補正対象項目名】００２３
【補正方法】変更
【補正の内容】
【００２３】
請求項１４に係る発明は、前記一般式（２）で表される脂肪族アルコールのエチレンオキサイド付加物が、ラウリルアルコール、セチルアルコール、ステアリルアルコール及びオレイルアルコールの群から選ばれる１種又は２種以上のアルコールのエチレンオキサイド付加物である、請求項１２に記載のＯ／Ｗ型エマルション消泡剤の製造方法である。